(57)【要約】【課題】電子辞書等の情報表示制御装置において、辞書等の集合情報毎に蓄積記憶されるヒストリ見出語に適合する見出語及び当該見出語に対応する説明情報を、他の集合情報から適切に読み出して表示する。【解決手段】ＣＰＵ１００は、指定辞書ＤＢから説明情報を読み出して表示した際、対応する見出語をヒストリ見出語として、ヒストリ一覧テーブル５０９の該当する辞書ＤＢ用のヒストリ一覧テーブルに格納する。ＣＰＵ１００は、ヒストリキーの押下操作に応じて、指定辞書種別のヒストリ一覧テーブルを参照してヒストリ一覧を表示する。ヒストリ一覧からヒストリ見出語が選択されて、辞書種別キーが押下されると、ＣＰＵ１００は、選択ヒストリ見出語に基づいて、指定辞書ＤＢから見出語候補を検索して表示する。そして、ＣＰＵ１００は、表示した見出語候補から選択された見出に対応する説明情報を読み出して表示する。【選択図】  図２
2004295306.tif 000002
【特許請求の範囲】
【請求項１】
見出語と、当該見出語の説明情報とが対応付けられた情報を集合した集合情報を複数種類記憶する記憶手段と、
前記複数の集合情報のうち、一の集合情報を指定する第１の集合情報指定手段と、
この第１の集合情報指定手段により指定された集合情報に含まれる見出語のうち、一の見出語を指定する見出語指定手段と、
この見出語指定手段により指定された見出語に対応する説明情報を前記第１の集合情報指定手段により指定された集合情報から読み出して表示する制御を行う第１の表示制御手段と、
前記見出語指定手段により指定された見出語をヒストリ見出語として前記集合情報別に蓄積記憶するヒストリ記憶手段と、
このヒストリ記憶手段に記憶されたヒストリ見出語のうち、一のヒストリ見出語を指定するヒストリ見出語指定手段と、
前記複数の集合情報のうち、他の集合情報を指定する第２の集合情報指定手段と、
前記ヒストリ見出語指定手段により指定されたヒストリ見出語に適合する見出語及び当該見出語に対応する説明情報を前記第２の集合情報指定手段により指定された集合情報の中から読み出して表示する制御を行う第２の表示制御手段と、
を備えることを特徴とする情報表示制御装置。
【請求項２】
前記ヒストリ記憶手段に記憶されたヒストリ見出語を前記集合情報別に一覧表示する制御を行う一覧表示制御手段を更に備え、
前記ヒストリ見出語指定手段は前記一覧表示制御手段により一覧表示されたヒストリ見出語の中から一のヒストリ見出語を指定する一覧指定手段を有する、ことを特徴とする請求項１に記載の情報表示制御装置。
【請求項３】
前記ヒストリ見出語指定手段により指定されたヒストリ見出語の文字種別を、前記第２の集合情報指定手段により指定された集合情報に含まれる見出語の文字種別に変換する文字種別変換手段を更に備え、
前記第２の表示制御手段は、前記文字種別変換手段により変換されたヒストリ見出語により、当該ヒストリ見出語に適合する見出語を読み出す変換後見出語読出手段を有する、ことを特徴とする請求項１又は２に記載の情報表示制御装置。
【請求項４】
前記複数の集合情報に含まれる見出語のうち一部の見出語には追加語が対応づけられており、
前記第２の表示制御手段は、前記ヒストリ見出語指定手段により指定されたヒストリ見出語に適合する追加語を読み出す追加語読出手段を有する、ことを特徴とする請求項１〜３の何れか一項に記載の情報表示制御装置。
【請求項５】
所定の通信回線を介して利用者端末と接続されるサーバにおいて、
見出語と、当該見出語の説明情報とが対応付けられた情報を集合した集合情報を複数種類記憶する記憶手段と、
前記複数の集合情報のうち、一の集合情報に含まれる見出語のうち、一の見出語を指定する見出語指定情報を前記利用者端末から受信する第１の受信手段と、
前記受信した見出語指定情報により指定された見出語に対応する説明情報を前記一の集合情報から読み出して前記利用者端末に送信する第１の送信手段と、
前記受信した見出語指定情報により指定された見出語をヒストリ見出語として前記集合情報別に蓄積記憶するヒストリ記憶手段と、
このヒストリ記憶手段に記憶されたヒストリ見出語を前記集合情報別に前記利用者端末に送信するヒストリ見出語送信手段と、
一のヒストリ見出語を指定するヒストリ見出語指定情報を前記利用者端末から受信する第２の受信手段と、
前記複数の集合情報のうち、他の集合情報を指定する集合情報指定情報を受信する第３の受信手段と、
前記受信したヒストリ見出語指定情報により指定されたヒストリ見出語に適合する見出語及び当該見出語に対応する説明情報を前記受信した集合情報指定情報により指定された集合情報の中から読み出して前記利用者端末に送信する第２の送信手段と、
を備えることを特徴とするサーバ。
【請求項６】
コンピュータに、
見出語と、当該見出語の説明情報とが対応付けられた情報を集合した集合情報を複数種類記憶する記憶機能と、
前記複数の集合情報のうち、一の集合情報を指定する第１の集合情報指定機能と、
この第１の集合情報指定機能により指定された集合情報に含まれる見出語のうち、一の見出語を指定する見出語指定機能と、
この見出語指定機能により指定された見出語に対応する説明情報を前記第１の集合情報指定機能により指定された集合情報から読み出して表示する制御を行う第１の表示制御機能と、
前記見出語指定機能により指定された見出語をヒストリ見出語として前記集合情報別に蓄積記憶するヒストリ記憶機能と、
このヒストリ記憶機能に記憶されたヒストリ見出語のうち、一のヒストリ見出語を指定するヒストリ見出語指定機能と、
前記複数の集合情報のうち、他の集合情報を指定する第２の集合情報指定機能と、
前記ヒストリ見出語指定機能により指定されたヒストリ見出語に適合する見出語及び当該見出語に対応する説明情報を前記第２の集合情報指定機能により指定された集合情報の中から読み出して表示する制御を行う第２の表示制御機能と、
を実現させるためのプログラム。
【請求項７】
所定の通信回線を介して利用者端末と接続されるコンピュータに、
見出語と、当該見出語の説明情報とが対応付けられた情報を集合した集合情報を複数種類記憶する記憶機能と、
前記複数の集合情報のうち、一の集合情報に含まれる見出語のうち、一の見出語を指定する見出語指定情報を前記利用者端末から受信する第１の受信機能と、
前記受信した見出語指定情報により指定された見出語に対応する説明情報を前記一の集合情報から読み出して前記利用者端末に送信する第１の送信機能と、
前記受信した見出語指定情報により指定された見出語をヒストリ見出語として前記集合情報別に蓄積記憶するヒストリ記憶機能と、
このヒストリ記憶機能に記憶されたヒストリ見出語を前記集合情報別に前記利用者端末に送信するヒストリ見出語送信機能と、
一のヒストリ見出語を指定するヒストリ見出語指定情報を前記利用者端末から受信する第２の受信機能と、
前記複数の集合情報のうち、他の集合情報を指定する集合情報指定情報を受信する第３の受信機能と、
前記受信したヒストリ見出語指定情報により指定されたヒストリ見出語に適合する見出語及び当該見出語に対応する説明情報を前記受信した集合情報指定情報により指定された集合情報の中から読み出して前記利用者端末に送信する第２の送信機能と、
を実現させるためのプログラム。
【発明の詳細な説明】
【０００１】
【発明の属する技術分野】
本発明は、情報表示制御装置、サーバ及びプログラムに関する。
【０００２】
【従来の技術】
従来から、国語辞典、英和辞典、和英辞典等の各種辞典等、数種類の電子辞書データが組み込まれた電子辞書と呼ばれる情報表示制御装置が知られている。この電子辞書データには、見出語と、当該見出語の説明情報とが対応付けられて記憶され、検索語を指定することにより、検索語と一致する見出語の説明情報を表示させることができる。
【０００３】
また、上記した電子辞書は、ユーザが所望する情報を効率良く検索するための様々な機能を備えている。例えば、ユーザによって入力された入力文字（検索語）に適合し、説明情報が表示された見出語をヒストリ見出語として蓄積記憶しておくとともに、蓄積記憶しているヒストリ見出語を一覧表示して、これらの内から選択されたヒストリ見出語についての検索を行う、ヒストリ機能を備えた電子辞書が知られている。このヒストリ機能によれば、ユーザは、過去に検索したことのあるヒストリ見出語の検索を再度行う場合に、その語句を入力する必要がなく、再検索を容易に行うことができる。
【０００４】
また、特許文献１に開示されているように、検索された単語の情報を選択的に記憶手段に記憶させる技術が知られている。この特許文献１によれば、英単語を検索すると、その英単語をヒストリエリアに記憶する。そして、英単語とその日本語対訳とを選択して表示器に表示する場合には、該英単語が検索されたものであれば、ヒストリ機能を用いヒストリエリアから読み出された英単語を指定することにより、ワードメモエリアに登録する。これにより、ヒストリ機能により登録されたヒストリ見出語の中から必要なヒストリ見出語のみを選択的に指定し、ワードメモエリアに登録しておくことができる。
【０００５】
【特許文献１】
特開平０５−２３３５８４号公報
【０００６】
【発明が解決しようとする課題】
ところで、上記したヒストリ機能として、辞書毎のヒストリエリアにヒストリ見出語を蓄積記憶しておくものと、辞書に関わらず、見出語に指定された順にヒストリ見出語を同一のヒストリエリアに蓄積記憶しておくものとが知られている。
【０００７】
しかしながら、辞書毎のヒストリエリアにヒストリ見出語を蓄積記憶しておく場合には、一覧表示したヒストリ見出語から再度検索したい見出語を容易に選択することができるが、選択したヒストリ見出語をもとに、他の辞書から直接検索することができなかった。このため、例えば、当該ヒストリ見出語の説明情報を表示させた後、電子辞書が有するジャンプ機能を利用して他の辞書にジャンプする必要があった。ここで、電子辞書が有するジャンプ機能とは、見出語に対する説明情報が表示される際に、その説明情報中の一部の文字列を指定して、当該指定した文字列を検索語として、再度検索を行う機能のことである。
【０００８】
一方、見出語に指定された順に各辞書のヒストリ見出語を同一のヒストリエリアに蓄積記憶しておく場合には、ヒストリ見出語を検索語として、他の辞書から適合する見出語を直接検索することが可能であるが、一覧表示させるヒストリ見出語の文字種別が混在し、所望のヒストリ見出語を選択する操作が困難になる場合があった。
【０００９】
本発明は、上記した従来の事情に鑑みてなされたものであり、電子辞書等の情報表示制御装置において、辞書等の集合情報毎に蓄積記憶されるヒストリ見出語に適合する見出語及び当該見出語に対応する説明情報を、他の集合情報から適切に読み出して表示する制御を行うことを目的とする。
【００１０】
【課題を解決するための手段】
以上の課題を解決するため、請求項１に記載の発明の情報表示制御装置は、
見出語と、当該見出語の説明情報とが対応付けられた情報を集合した集合情報を複数種類記憶する記憶手段（例えば、図２に示す国語辞典ＤＢ５０１，百科事典ＤＢ５０３）と、
前記複数の集合情報のうち、一の集合情報を指定する第１の集合情報指定手段（例えば、図２に示す入力装置２００；図８に示すステップＳ１０）と、
この第１の集合情報指定手段により指定された集合情報に含まれる見出語のうち、一の見出語を指定する見出語指定手段（例えば、図２に示す入力装置２００；図８に示すステップＳ１２）と、
この見出語指定手段により指定された見出語に対応する説明情報を前記第１の集合情報指定手段により指定された集合情報から読み出して表示する制御を行う第１の表示制御手段（例えば、図２に示すＣＰＵ１００，図８に示すステップＳ１４〜Ｓ１８）と、
前記見出語指定手段により指定された見出語をヒストリ見出語として前記集合情報別に蓄積記憶するヒストリ記憶手段（例えば、図２に示すヒストリ一覧テーブル５０９）と、
このヒストリ記憶手段に記憶されたヒストリ見出語のうち、一のヒストリ見出語を指定するヒストリ見出語指定手段（例えば、図２に示す入力装置２００；図９に示すステップＳ１０１）と、
前記複数の集合情報のうち、他の集合情報を指定する第２の集合情報指定手段（例えば、図２に示す入力装置２００；図９に示すステップＳ１０２）と、
前記ヒストリ見出語指定手段により指定されたヒストリ見出語に適合する見出語及び当該見出語に対応する説明情報を前記第２の集合情報指定手段により指定された集合情報の中から読み出して表示する制御を行う第２の表示制御手段（例えば、図２に示すＣＰＵ１００；図９に示すステップＳ１０４〜Ｓ１１０）と、
を備えることを特徴としている。
【００１１】
また、請求項６に記載の発明のプログラムは、
コンピュータに、
見出語と、当該見出語の説明情報とが対応付けられた情報を集合した集合情報を複数種類記憶する記憶機能（例えば、図２に示す国語辞典ＤＢ５０１，百科事典ＤＢ５０３）と、
前記複数の集合情報のうち、一の集合情報を指定する第１の集合情報指定機能（例えば、図２に示す入力装置２００；図８に示すステップＳ１０）と、
この第１の集合情報指定機能により指定された集合情報に含まれる見出語のうち、一の見出語を指定する見出語指定機能（例えば、図２に示す入力装置２００；図８に示すステップＳ１２）と、
この見出語指定機能により指定された見出語に対応する説明情報を前記第１の集合情報指定機能により指定された集合情報から読み出して表示する制御を行う第１の表示制御機能（例えば、図２に示すＣＰＵ１００，図８に示すステップＳ１４〜Ｓ１８）と、
前記見出語指定機能により指定された見出語をヒストリ見出語として前記集合情報別に蓄積記憶するヒストリ記憶機能（例えば、図２に示すヒストリ一覧テーブル５０９）と、
このヒストリ記憶機能に記憶されたヒストリ見出語のうち、一のヒストリ見出語を指定するヒストリ見出語指定機能（例えば、図２に示す入力装置２００；図９に示すステップＳ１０１）と、
前記複数の集合情報のうち、他の集合情報を指定する第２の集合情報指定機能（例えば、図２に示す入力装置２００，図９に示すステップＳ１０２）と、
前記ヒストリ見出語指定機能により指定されたヒストリ見出語に適合する見出語及び当該見出語に対応する説明情報を前記第２の集合情報指定機能により指定された集合情報の中から読み出して表示する制御を行う第２の表示制御機能（例えば、図２に示すＣＰＵ１００；図９に示すステップＳ１０４〜Ｓ１１０）と、
を実現させることを特徴としている。
【００１２】
この請求項１又は６に記載の発明によれば、複数の集合情報のうち、一の集合情報に含まれる見出語が指定された際、当該指定された見出語をヒストリ見出語として記憶しておき、ヒストリ見出語が指定されるとともに、他の集合情報が指定された場合に、当該他の集合情報から、指定されたヒストリ見出語に適合する見出語及び当該見出語に対応する説明情報を読み出して表示する制御を行うことができる。従って、過去に一の集合情報から指定された見出語の履歴であるヒストリ見出語に基づいて、適合する見出語及び当該見出語に対応する説明情報を他の集合情報から適切に読み出して表示する制御を行うことができる。
【００１３】
請求項２に記載の発明は、請求項１に記載の情報表示制御装置において、
前記ヒストリ記憶手段に記憶されたヒストリ見出語を前記集合情報別に一覧表示する制御を行う一覧表示制御手段（例えば、図２に示すＣＰＵ１００；図９に示すステップＳ１００）を更に備え、
前記ヒストリ見出語指定手段は前記一覧表示制御手段により一覧表示されたヒストリ見出語の中から一のヒストリ見出語を指定する一覧指定手段（例えば、図２に示す入力装置２００；図９に示すステップＳ１００）を有する、ことを特徴としている。
【００１４】
この請求項２に記載の発明によれば、一の集合情報に含まれる見出語が指定された際に、当該見出語を、集合情報別にヒストリ見出語として記憶しておき、ヒストリ見出語が指定されるとともに、他の集合情報が指定された場合に、当該他の集合情報から、指定されたヒストリ見出語に適合する見出語及び当該見出語に対応する説明情報を読み出して表示する制御を行うことができる。従って、一の集合情報から過去に指定された見出語の履歴であるヒストリ見出語に基づいて、適合する見出語及び当該見出語に対応する説明情報を他の集合情報から適切に読み出して表示する制御を行うことができる。
【００１５】
請求項３に記載の発明は、請求項１又は２に記載の情報表示制御装置において、
前記ヒストリ見出語指定手段により指定されたヒストリ見出語の文字種別を、前記第２の集合情報指定手段により指定された集合情報に含まれる見出語の文字種別に変換する文字種別変換手段（例えば、図２に示すＣＰＵ１００；図２２に示すステップＳ３１０）を更に備え、
前記第２の表示制御手段は、前記文字種別変換手段により変換されたヒストリ見出語により、当該ヒストリ見出語に適合する見出語を読み出す変換後見出語読出手段（例えば、図２に示すＣＰＵ１００；図２２に示すステップＳ３１２）を有する、ことを特徴としている。
【００１６】
この請求項３に記載の発明によれば、ヒストリ見出語が指定されるとともに、他の集合情報が指定された際に、指定されたヒストリ見出語の文字種別と、指定された他の集合情報に含まれる見出語の文字種別とが異なる場合には、当該ヒストリ見出語の文字種別を、指定された他の集合情報に含まれる見出語の文字種別に変換することができる。そして、他の集合情報から、指定されたヒストリ見出語に適合する見出語及び当該見出語に対応する説明情報を読み出して表示する制御を行うことができる。従って、一の集合情報のヒストリ見出語に基づいて、適合する見出語及び当該見出語に対応する説明情報を他の集合情報から適切に読み出して表示する制御を行うことができる。
【００１７】
請求項４に記載の発明は、請求項１〜３の何れか一項に記載の情報表示制御装置において、
前記複数の集合情報に含まれる見出語のうち一部の見出語には追加語が対応づけられており、
前記第２の表示制御手段は、前記ヒストリ見出語指定手段により指定されたヒストリ見出語に適合する追加語を読み出す追加語読出手段（例えば、図２に示すＣＰＵ１００；図１６に示すステップＳ２１０）を有する、ことを特徴としている。
【００１８】
この請求項４に記載の発明によれば、ヒストリ見出語が指定されるとともに、他の集合情報が指定された際、指定された他の集合情報に含まれる見出語に追加語が対応付けられている場合には、当該他の集合情報から、ヒストリ見出語に適合する追加語及び当該追加語の見出語に対応する説明情報を読み出して表示する制御を行うことができる。従って、一の集合情報のヒストリ見出語に基づいて、適合する見出語及び当該見出語に対応する説明情報を他の集合情報から適切に読み出して表示する制御を行うことができる。
【００１９】
請求項５に記載の発明は、所定の通信回線を介して利用者端末と接続されるサーバにおいて、
見出語と、当該見出語の説明情報とが対応付けられた情報を集合した集合情報を複数種類記憶する記憶手段（例えば、図２９に示す記憶装置７１２）と、
前記複数の集合情報のうち、一の集合情報に含まれる見出語のうち、一の見出語を指定する見出語指定情報を前記利用者端末から受信する第１の受信手段（例えば、図２９に示す通信装置７１２）と、
前記受信した見出語指定情報により指定された見出語に対応する説明情報を前記一の集合情報から読み出して前記利用者端末に送信する第１の送信手段（例えば、図２９に示すＣＰＵ７０２，通信装置７１２）と、
前記受信した見出語指定情報により指定された見出語をヒストリ見出語として前記集合情報別に蓄積記憶するヒストリ記憶手段（例えば、図２９に示すＣＰＵ７０２，記憶装置７１２）と、
このヒストリ記憶手段に記憶されたヒストリ見出語を前記集合情報別に前記利用者端末に送信するヒストリ見出語送信手段（例えば、図２９に示すＣＰＵ７０２，通信装置７１２）と、
一のヒストリ見出語を指定するヒストリ見出語指定情報を前記利用者端末から受信する第２の受信手段（例えば、図２９に示す通信装置７１２）と、
前記複数の集合情報のうち、他の集合情報を指定する集合情報指定情報を受信する第３の受信手段（例えば、図２９に示す通信装置７１２）と、
前記受信したヒストリ見出語指定情報により指定されたヒストリ見出語に適合する見出語及び当該見出語に対応する説明情報を前記受信した集合情報指定情報により指定された集合情報の中から読み出して前記利用者端末に送信する第２の送信手段（例えば、図２９に示すＣＰＵ７０２，通信装置７１２）と、
を備えることを特徴としている。
【００２０】
また、請求項７に記載の発明のプログラムは、
所定の通信回線を介して利用者端末と接続されるコンピュータに、
見出語と、当該見出語の説明情報とが対応付けられた情報を集合した集合情報を複数種類記憶する記憶機能（例えば、図２９に示す記憶装置７１２）と、
前記複数の集合情報のうち、一の集合情報に含まれる見出語のうち、一の見出語を指定する見出語指定情報を前記利用者端末から受信する第１の受信機能（例えば、図２９に示す通信装置７１４）と、
前記受信した見出語指定情報により指定された見出語に対応する説明情報を前記一の集合情報から読み出して前記利用者端末に送信する第１の送信機能（例えば、図２９に示すＣＰＵ７０２，通信装置７１４）と、
前記受信した見出語指定情報により指定された見出語をヒストリ見出語として前記集合情報別に蓄積記憶するヒストリ記憶機能（例えば、図２９に示すＣＰＵ７０２，記憶装置７１２）と、
このヒストリ記憶機能に記憶されたヒストリ見出語を前記集合情報別に前記利用者端末に送信するヒストリ見出語送信機能（例えば、図２９に示すＣＰＵ７０２，通信装置７１４）と、
一のヒストリ見出語を指定するヒストリ見出語指定情報を前記利用者端末から受信する第２の受信機能（例えば、図２９に示す通信装置７１４）と、
前記複数の集合情報のうち、他の集合情報を指定する集合情報指定情報を受信する第３の受信機能（例えば、図２９に示す通信装置７１４）と、
前記受信したヒストリ見出語指定情報により指定されたヒストリ見出語に適合する見出語及び当該見出語に対応する説明情報を前記受信した集合情報指定情報により指定された集合情報の中から読み出して前記利用者端末に送信する第２の送信機能（例えば、図２９に示すＣＰＵ７０２，通信装置７１４）と、
を実現させることを特徴としている。
【００２１】
この請求項５又は７に記載の発明によれば、サーバ又はコンピュータにおいて、複数の集合情報のうちの一の集合情報に含まれる見出語を指定する見出語指定情報を利用者端末から受信した際に、当該見出語指定情報により指定された見出語をヒストリ見出語として記憶しておき、適宜利用者端末に送信することができる。そして、サーバ又はコンピュータにおいて、一のヒストリ見出語が指定されたヒストリ見出語指定情報を受信するとともに、他の集合情報を指定する集合情報指定情報を受信した際に、当該集合情報指定情報により指定された他の集合情報から、ヒストリ見出語指定情報により指定されたヒストリ見出語に適合する見出語及び当該見出語に対応する説明情報を読み出して利用者端末に送信することができる。
【００２２】
【発明の実施の形態】
以下、図１〜図２９を参照して、本発明に係る情報表示制御装置を折りたたみ式の携帯型電子辞書（以下、単に「電子辞書」という。）に適用した場合の実施の形態について詳細に説明する。
【００２３】
電子辞書には、国語辞典、英和辞典、和英辞典、英英辞典等の各種辞典、各種用語辞典、百科事典といった種々の辞書種別の電子辞典や電子事典のデータ（辞書データベース）が内蔵されている。辞書データベースとは、見出語と、当該見出語を説明解説等するための文字データ、静止画像データ、動画データ、音声データ等が記憶された説明情報とが対応付けられた情報を集合した集合情報を、コンピュータを用いて検索処理することができるように体系的に構成したものである。ユーザは、辞書種別を選択して文字を入力（以下、「入力文字」という。）することにより、当該入力文字の解説等を表示させることができる。
【００２４】
図１（ａ）に、電子辞書１の斜視概観図の一例を示す。同図に示すように、電子辞書１は、ディスプレイ１０と、キー群２０とを備えて構成されている。キー群２０を構成する各キーにはそれぞれ固有の機能が割り当てられており、ユーザは、これらのキーを押下して電子辞書１を操作する。
【００２５】
図１（ｂ）に、キー群２０のキー配列の一例を示す。同図に示すように、キー群２０は、電源のＯＮ／ＯＦＦを切り替える電源キー２１、入力文字を入力する文字入力キー２３、説明情報の表示指示や操作の確定指示等を入力するの訳／決定キー２５、カーソルの移動方向等を指示する方向指示キー２７、指定した単語へのジャンプキー２９、ヒストリ見出語を一覧表示するヒストリキー３１、前回表示した画面等に戻るための戻るキー３３、検索対象の辞書種別を指定するための辞書種別キー３５等を備えて構成される。同図に示す電子辞書１では、辞書種別キー３５として、国語辞典を指定する国語辞典キー、英和辞典を指定する英和辞典キー３５ｂ、和英辞典を指定する和英辞典キー３５ｃ、百科事典を指定する百科事典キー３５ｄを備えている。
【００２６】
〔第１の実施の形態〕
先ず、本発明を適用した電子辞書の第１の実施の形態について説明する。尚、第１の実施の形態において、電子辞書は、特に、国語辞典と百科事典の２種類の辞書データベース（以下、データベースを「ＤＢ」という。）を内蔵している場合の実施形態である。以下、第１の実施の形態では、国語辞典の辞書ＤＢである国語辞典ＤＢ、及び百科事典の辞書ＤＢである百科事典ＤＢを包括して、適宜「辞書ＤＢ」という。
【００２７】
図２は、第１の実施の形態における電子辞書１の機能構成の一例を示すブロック図である。同図に示すように、電子辞書１は、ＣＰＵ１００、入力装置２００、表示装置３００、ＲＡＭ４００、フラッシュＲＯＭ５００の各機能部を備えて構成される。
【００２８】
ＣＰＵ１００は、入力される指示に応じて所定のプログラムに基づいた処理を実行し、各機能部への指示やデータの転送等を行い、電子辞書１を統括的に制御する。具体的には、ＣＰＵ１００は、入力装置２００から入力される押下信号等に応じてフラッシュＲＯＭ５００に格納されたプログラムを読み出し、当該プログラムに従って処理を実行する。そして、処理結果をＲＡＭ４００に保存するとともに、当該処理結果を表示するための表示信号を適宜表示装置３００に出力して、対応した表示情報を表示させる。
【００２９】
入力装置２００は、仮名やアルファベット等の文字入力や機能選択等に必要なキー群を備え、押下されたキーの押下信号等をＣＰＵ１００に出力する。この入力装置２００は、図１に示すキー群２０に相当し、上記した辞書種別の指定、入力文字の入力、説明情報の表示指示、ジャンプ実行指示、ヒストリ一覧の表示指示等の入力手段が実現される。
【００３０】
表示装置３００は、ＣＰＵ１００から入力される表示信号に基づいて各種画面を表示させるものであり、ＬＣＤ等により構成される。この表示装置３００は、図１に示すディスプレイ１０に相当する。
【００３１】
ＲＡＭ４００は、ＣＰＵ１００が実行する各種プログラムや、これらプログラムの実行に係るデータ等を一時的に保持するメモリ領域を備える。特に、第１の実施の形態を実現するため、指定辞書種別格納領域４０１と、選択ヒストリ見出語格納領域４０３とを備える。
【００３２】
フラッシュＲＯＭ５００には、各種初期設定、ハードウェアの検査、又は必要なプログラムのロード等を行うための初期プログラムが格納される。ＣＰＵ１００は、電子辞書１の電源投入時においてこの初期プログラムを実行することにより、電子辞書１の動作環境を設定する。
【００３３】
また、フラッシュＲＯＭ５００には、電子辞書１の動作に係る各種処理プログラムや電子辞書１の備える種々の機能を実現するためのプログラムやデータが格納される。特に、第１の実施の形態を実現するため、国語辞典ＤＢ５０１と、百科事典ＤＢ５０３と、辞書検索プログラム５０５と、第１ヒストリ検索プログラム５０７と、ヒストリ一覧テーブル５０９とが格納され、ヒストリ一覧テーブル５０９には、国語辞典用ヒストリ一覧テーブル５０９ａと、百科事典用ヒストリ一覧テーブル５０９ｂとを備える。
【００３４】
ＣＰＵ１００は、このフラッシュＲＯＭ５００に格納された辞書検索プログラム５０５に従って辞書検索処理を実行する。具体的には、ＣＰＵ１００は、辞書種別キー３５の押下操作に応じて検索対象の辞書ＤＢを決定する。この際、決定された検索対象の辞書ＤＢ（以下、「指定辞書ＤＢ」という。）の辞書種別（以下、「指定辞書種別」という。）が指定辞書種別格納領域４０１に保持される。図３に、指定辞書種別格納領域４０１の一例を示す。同図に示す指定辞書種別格納領域４０１には、当該時点での指定辞書種別“国語辞典ＤＢ”が格納されている。
【００３５】
続いて、ＣＰＵ１００は、入力文字の入力操作に応じて、見出語候補一覧表示処理を実行する。見出語候補一覧表示処理とは、説明情報の表示対象とする見出語を決定するためにＣＰＵ１００が実行する処理であり、説明情報の表示に先立って実行される処理である。また、見出語候補とは、説明情報の表示対象の見出語となり得る見出語の候補のことであり、ユーザが入力装置２００から入力した入力文字を基に、ＣＰＵ１００によって指定辞書ＤＢから検索される。ここで、ユーザが、辞書種別“国語辞典”を指定して“明細書”という語句の意味を調べる場合を具体例に挙げ、図４を参照して見出語候補一覧表示処理について説明する。
【００３６】
“明細書”という語句の意味を調べるために、ユーザは“め”“い”“さ”“い”“しょ”（或いは“し”“ょ”）の順で入力文字を入力していく。このとき、ＣＰＵ１００は、各文字が入力される毎に、当該時点までに入力された入力文字から始まる見出語を国語辞典ＤＢ５０１から随時検索し、見出語候補として一覧表示する。図４（ａ）は、“め”“い”と入力された状態の画面例である。国語辞典ＤＢ５０１に記憶された見出語のうち、入力文字Ｉ１００である“めい”で始まる見出語が検索され、見出語候補一覧Ｔ１００として表示されている。図４（ｂ）は、（ａ）に続いて“さ”“い”と入力された状態の画面例である。入力文字Ｉ１０２である“めいさい”で始まる見出語を始めとする“めいさい”に適合する見出語が、見出語候補一覧Ｔ１０２として表示されている。
【００３７】
図４において、見出語候補一覧Ｔ１００，Ｔ１０２に表示された見出語候補のうち、１つの見出語候補が反転表示され、選択マーカＭ１００として表示されている。ユーザは、入力装置２００から方向指示キー２７を押下操作することにより選択マーカＭ１００を上下に移動させて、他の見出語候補を反転表示させることができる。図４（ｃ）は、選択マーカＭ１００が移動されて、“めいさいしょ”という見出語候補が反転表示されている状態の画面例である。この図４（ｃ）において、訳／決定キー３１が押下操作されることにより、説明情報を表示する対象とする見出語が“めいさいしょ”として決定される。
【００３８】
ユーザは、見出語候補一覧表示処理によって、“め”“い”“さ”“い”“しょ”の５文字（“しょ”を２文字とする場合には６文字）全てを入力する必要がなく、見出語候補一覧に所望の見出語が表示された際に、迅速に説明情報の表示対象とする見出語を決定することができる。
【００３９】
そして、ＣＰＵ１００は、この見出語候補一覧表示処理により決定された見出語“めいさいしょ”に対応する説明情報を国語辞典ＤＢ５０１から読み出して表示する。
【００４０】
図５に、国語辞典ＤＢ５０１の蓄積形式の一例を示す。同図に示すように、集合情報の１つである国語辞典ＤＢ５０１には、見出語と、追加見出語と、説明情報とが対応付けられた辞書データ（情報）が蓄積（集合）される。追加見出語には、対応する見出語を、当該見出語と異なる文字種別で表記した文字列が格納される。例えば、レコードＬ１０に示す辞書データにおいて、文字種別“仮名”の見出語“こくりつ”の追加見出語として、追加見出語“国立”が格納されている。また、説明情報には、該当する見出語を説明するための文字データである説明情報が格納される。同様にして、百科事典ＤＢ５０３（図示略）には、見出語と、追加見出語と、説明情報とが対応付けられた辞書データが蓄積される。
【００４１】
また、ＣＰＵ１００は、指定辞書ＤＢから説明情報を読み出して表示した際に、対応する見出語をヒストリ見出語として、ヒストリ一覧テーブル５０９の該当する辞書ＤＢ用のヒストリ一覧テーブルに格納する。すなわち、国語辞典ＤＢ５０１の説明情報が表示された場合には国語辞典用ヒストリ一覧テーブル５０９ａに、百科事典ＤＢ５０３の説明情報が表示された場合には百科事典用ヒストリ一覧テーブル５０９ｂに、それぞれ対応する見出語が蓄積記憶されるようになっている。図６に、国語辞典用ヒストリ一覧テーブル５０９ａの一例を示す。同図に示すように、国語辞典用ヒストリ一覧テーブル５０９ａには、当該時点までに国語辞典ＤＢ５０１から読み出されて表示された説明情報の見出語であるヒストリ見出語が、検索履歴として蓄積記憶される。同様にして、百科事典用ヒストリ一覧テーブル５０９ｂ（図示略）には、当該時点までに百科事典ＤＢ５０３から読み出されて表示された説明情報の見出語であるヒストリ見出語が、検索履歴として蓄積記憶される。
【００４２】
また、ＣＰＵ１００は、第１ヒストリ検索プログラム５０７に従って第１ヒストリ検索処理を実行する。具体的には、ＣＰＵ１００は、ヒストリキー３１の押下操作に応じて、当該時点での指定辞書種別に対応するヒストリ一覧テーブルを参照してヒストリ一覧を表示する。例えば、ヒストリキー３１が押下された際に、指定辞書種別格納領域４０１に格納される指定辞書種別が“国語辞典ＤＢ”の場合には、ＣＰＵ１００は、国語辞典用ヒストリ一覧テーブル５０９ａに格納されるヒストリ見出語を読み出してヒストリ一覧を表示する。ヒストリ一覧からヒストリ見出語が選択されて（以下、選択されたヒストリ見出語を「選択ヒストリ見出語」という。）、辞書種別キー３５が押下されると、ＣＰＵ１００は、指定辞書種別格納領域４０１を更新するとともに、選択ヒストリ見出語を入力文字に設定して選択ヒストリ見出語格納領域４０３を更新する。
【００４３】
図７に、第１の実施の形態における選択ヒストリ見出語格納領域４０３の一例を示す。同図に示す選択ヒストリ見出語格納領域４０３には、選択ヒストリ見出語“こくりつこうえん”が格納されている。ＣＰＵ１００は、見出語候補一覧表示処理を実行し、選択ヒストリ見出語格納領域４０３に格納される選択ヒストリ見出語に基づいて、指定辞書ＤＢから見出語候補を検索して表示する。そして、ＣＰＵ１００は、見出語候補から説明情報を表示する対象とする見出語が決定されると、対応する説明情報を読み出して表示する。
【００４４】
次に、電子辞書１の動作について図８，９に示すフローチャートを参照して説明する。
【００４５】
図８は、辞書検索プログラム５０５を実行することにより実現される辞書検索処理に係る電子辞書１の動作フローである。同図に示すように、ＣＰＵ１００は、辞書種別キー３５の押下操作に応じて（ステップＳ１０：ＹＥＳ）、指定辞書種別を決定し、入力文字の入力操作又はヒストリキー３１の押下操作を待機する。そして、ＣＰＵ１００は、入力文字の入力操作に応じて（ステップＳ１２：ＹＥＳ）、上記した見出語候補一覧表示処理を実行する（ステップＳ１４）。次いで、ＣＰＵ１００は、訳／決定キー３１の押下操作に応じて（ステップＳ１６：ＹＥＳ）、見出語候補一覧から選択された見出語に対応する説明情報を表示する（ステップＳ１８）。
【００４６】
また、ＣＰＵ１００は、ヒストリキー３１の押下操作に応じて（ステップＳ２０：ＹＥＳ）、第１ヒストリ検索処理を実行する（ステップＳ２２）。
【００４７】
図９は、第１ヒストリ検索プログラム５０７を実行することにより実現される第１ヒストリ検索処理に係る電子辞書１の動作フローである。ＣＰＵ１００は、先ず、指定辞書種別用のヒストリ一覧テーブルを参照してヒストリ一覧を表示し（ステップＳ１００）、ヒストリ一覧に表示されるヒストリ見出語の選択操作を受け付ける（ステップＳ１０１）。そして、ＣＰＵ１００は、辞書種別キー３５の押下操作を監視し、押下された場合には（ステップＳ１０２：ＹＥＳ）、指定辞書種別を決定するとともに、ステップＳ１０１で選択された選択ヒストリ見出語を入力文字に設定し（ステップＳ１０４）、見出語候補一覧表示処理を実行する（ステップＳ１０６）。
【００４８】
続いて、ＣＰＵ１００は、訳／決定キー３１の押下操作に応じて（ステップＳ１０８：ＹＥＳ）、見出語候補一覧から選択された見出語に対応する説明情報を指定辞書ＤＢから読み出して表示する（ステップＳ１１０）。
【００４９】
次に、以上説明した第１の実施の形態における電子辞書１の操作例について、図１０に示す画面遷移例を参照して説明する。
【００５０】
図１０（ａ）は、ユーザが国語辞典キー３５ａを押下し、文字入力キー２３を操作して文字列“こくりつこうえん”を入力した場合の見出語候補一覧表示画面Ｗ１０の一例を示す図である。同図に示す見出語候補一覧表示画面Ｗ１０には、入力文字Ｉ１０である“こくりつこうえん”の見出語候補一覧Ｔ１０が表示されている。この見出語候補一覧表示画面Ｗ１０において、選択マーカＭ１０により見出語候補“こくりつこうえん”を選択して訳／決定キー３１を押下すると、（ｂ）に示すように、国語辞典ＤＢ５０１から読み出された見出語“こくりつこうえん”の説明情報を表示した説明情報表示画面Ｗ１２が表示される。
【００５１】
図１０（ｂ）に示す説明情報表示画面Ｗ１２においてヒストリキー３１を押下すると、（ｃ）に示すように、国語辞典−ヒストリサーチ画面Ｗ１４に、国語辞典のヒストリ一覧Ｔ１２が表示される。このヒストリ一覧Ｔ１２には、（ｂ）の説明情報表示画面Ｗ１２で表示した説明情報の見出語である“こくりつこうえん”がヒストリ見出語として表示されている。
【００５２】
図１０（ｃ）に示す国語辞典−ヒストリサーチ画面Ｗ１４において、ヒストリ一覧Ｔ１２の内、一のヒストリ見出語を反転表示させるヒストリ選択マーカＭ１２によりヒストリ見出語“こくりつこうえん”を選択し、百科事典キー３５ｄを押下すると、（ｄ）に示すように、見出語候補一覧表示画面Ｗ１６が表示され、選択ヒストリ見出語“こくりつこうえん”に基づいて百科事典ＤＢ５０３から検索された見出語候補一覧Ｔ１４が表示される。同図に示すように、選択マーカＭ１４により見出語候補“こくりつこうえん”を選択して訳／決定キー３１を押下すると、（ｅ）に示すように、百科事典ＤＢ５０３から読み出された見出語“こくりつこうえん”の説明情報を表示した説明情報表示画面Ｗ１８が表示される。
【００５３】
以上説明したように、第１の実施の形態によれば、辞書ＤＢに含まれる見出語の説明情報を表示した際に、該当する見出語をヒストリ見出語として記憶しておき、ヒストリ見出語が選択されるとともに、他の辞書ＤＢが指定された場合に、当該他の辞書ＤＢから、選択ヒストリ見出語と一致する見出語及び当該見出語に対応する説明情報を適切に読み出して表示する制御を行うことができる。例えば、国語辞典用のヒストリ一覧から一のヒストリ見出語を選択し、続いて百科事典を指定することにより、百科事典ＤＢ５０３を参照して、選択ヒストリ見出語の見出語候補一覧を表示させることができる。従って、国語辞典を指定して過去に説明情報を表示させた見出語の履歴であるヒストリ見出語に基づいて、百科事典ＤＢ５０３から該当する見出語候補一覧を表示させることができる。同様にして、百科事典を指定して過去に説明情報を表示させた見出語の履歴であるヒストリ見出語に基づいて、国語辞典ＤＢ５０１から該当する見出語候補一覧を表示させることができる。
【００５４】
〔第２の実施の形態〕
次に、本発明を適用した電子辞書の第２の実施の形態について説明する。尚、第２の実施の形態における電子辞書は、特に、英和辞典と百科事典の２種類の辞書ＤＢを内蔵している場合の実施形態である。以下、第２の実施の形態では、英和辞典の辞書ＤＢである英和辞典ＤＢ、及び百科事典の辞書ＤＢである百科事典ＤＢを包括して、適宜「辞書ＤＢ」という。また、第２の実施の形態における電子辞書の構成は、第１の実施の形態において図２に示した電子辞書１の構成において、ＲＡＭ４００を図１１（ａ）に示すＲＡＭ４１０に、フラッシュＲＯＭ５００を図１１（ｂ）に示すフラッシュＲＯＭ５１０に、それぞれ置き換えた構成と同様であり、以下、同一の構成要素には同一の符号を付してその説明を省略する。
【００５５】
図１１（ａ）に示すように、ＲＡＭ４１０は、第２の実施の形態を実現するため、特に、指定辞書種別格納領域４１１と、前回指定辞書種別格納領域４１３と、選択ヒストリ見出語格納領域４１５とを備える。また、（ｂ）に示すように、フラッシュＲＯＭ５１０には、第２の実施の形態を実現するため、特に、英和辞典ＤＢ５１１と、百科事典ＤＢ５１２と、辞書検索プログラム５１３と、第２ヒストリ検索プログラム５１４と、辞書種別／文字種別対応テーブル５１６と、百科事典用ヒストリ一覧テーブル５１７とが格納される。
【００５６】
ＣＰＵ１００は、フラッシュＲＯＭ５１０に格納された辞書検索プログラム５１３に従って辞書検索処理を実行する。具体的には、ＣＰＵ１０は、第１の実施の形態と同様に、辞書種別キー３５の押下操作に応じて指定辞書種別を決定し、指定辞書種別格納領域４１１を更新する。そして、ＣＰＵ１００は、入力文字の入力操作に応じて見出語候補一覧表示処理を実行し、決定された見出語に対応する説明情報を指定辞書ＤＢから読み出して表示する。
【００５７】
図１２に、英和辞典ＤＢ５１１の蓄積形式の一例を示す。同図に示すように、英和辞典ＤＢ５１１には、見出語と、当該見出語の説明情報とが対応付けられた辞書データが蓄積される。また、百科事典ＤＢ５１２（図示略）には、第１の実施の形態において図５に示した国語辞典ＤＢ５０１と同様に、見出語と、追加見出語と、説明情報とが対応付けられた辞書データが蓄積される。
【００５８】
また、この際、ＣＰＵ１００は、表示した説明情報の見出語をヒストリ見出語として、該当する辞書ＤＢ用のヒストリ一覧テーブルに格納する。特に、第２の実施の形態において、百科事典ＤＢ５１２の説明情報が表示された場合に、百科事典用ヒストリ一覧テーブル５１７にヒストリ見出語が蓄積記憶されるようになっている。図１３に、百科事典用ヒストリ一覧テーブル５１７の一例を示す。同図に示すように、百科事典用ヒストリ一覧テーブル５１７には、ヒストリ見出語が、当該ヒストリ見出語の追加見出語と対応付けられて蓄積記憶される。
【００５９】
また、ＣＰＵ１００は、第２ヒストリ検索プログラム５１４に従って第２ヒストリ検索処理を実行する。具体的には、ＣＰＵ１００は、ヒストリキー３１の押下操作に応じて、当該時点での指定辞書種別に対応するヒストリ一覧テーブルを参照して、ヒストリ一覧を表示する。一覧表示したヒストリ見出語が選択されて、辞書種別キー３５が押下されると、ＣＰＵ１００は、指定辞書種別格納領域４１１に格納される辞書種別を前回辞書種別として前回指定辞書種別格納領域４１３に格納するとともに、指定された辞書種別キー３５に対応する辞書種別で指定辞書種別格納領域４１１を更新する。
【００６０】
次いで、ＣＰＵ１００は、辞書種別／文字種別対応テーブル５１６を参照して、指定辞書種別の見出語文字種別と、前回指定辞書種別の見出語文字種別とが一致するか否かを判別する判別処理を実行する。
【００６１】
図１４に、第２の実施の形態における辞書種別／文字種別対応テーブル５１６の一例を示す。同図に示すように、辞書種別／文字種別対応テーブル５１６には、辞書種別と、見出語文字種別とが対応付けて格納される。すなわち、辞書種別“英和辞典ＤＢ”に対応付けて英和辞典ＤＢ５１１に記憶される見出語の文字種別である“アルファベット”が、辞書種別“百科事典ＤＢ”に対応付けて百科事典ＤＢ５１２に記憶される見出語の文字種別である“仮名”が、それぞれ格納されている。
【００６２】
例えば、ヒストリキー３１が押下された場合であって、指定辞書種別格納領域４１１に格納される指定辞書種別が“百科事典ＤＢ”の場合に、ＣＰＵ１００は、百科事典用ヒストリ一覧テーブル５１７に格納されるヒストリ見出語を読み出して一覧表示する。そして、続けて英和辞典キー３５ｂが押下された場合には、ＣＰＵ１００は、辞書種別／文字種別対応テーブル５１６を参照して、当該時点での指定辞書種別“百科事典ＤＢ”の見出語文字種別（“仮名”）と、押下された英和辞典キー３５ｂの辞書種別“英和辞典ＤＢ”の見出語文字種別（“アルファベット”）とが異なると判別する。
【００６３】
また、この際、ＣＰＵ１００は、選択ヒストリ見出語を選択ヒストリ見出語格納領域４１５に格納する。図１５に、第２の実施の形態における選択ヒストリ見出語格納領域４１５の一例を示す。同図に示す選択ヒストリ見出語格納領域４１５には、選択ヒストリ見出語“オーイーシーディー”に対応付けて、百科事典ＤＢ５１２において見出語“オーイーシーディー”に対応付けて格納される追加見出語“ＯＥＣＤ”が格納されている。ＣＰＵ１００は、上記した判別処理において一致しないと判断した場合に、指定辞書ＤＢから、選択ヒストリ見出語格納領域４１５に格納される追加見出語と一致する見出語を検索し、対応する説明情報を読み出して表示する。
【００６４】
次に、第２の実施の形態における電子辞書の動作について図１６に示すフローチャートを参照して説明する。尚、辞書検索プログラム５１３の実行に係る処理は、第１の実施の形態において図８に示して説明した電子辞書１の動作フローと同一であるため、説明を省略する。
【００６５】
ＣＰＵ１００は、図８に示す辞書検索処理において、ヒストリキー３１の押下操作を検知すると（ステップＳ２０）、第１ヒストリ検索処理に替えて第２ヒストリ検索処理を実行する。図１６は、第２ヒストリ検索プログラム５１４を実行することにより実現される第２ヒストリ検索処理に係る、第２の実施の形態における電子辞書の動作フローである。ＣＰＵ１００は、先ず、指定辞書種別用のヒストリ一覧テーブルを参照してヒストリ一覧を表示し（ステップＳ２００）、ヒストリ一覧に表示されるヒストリ見出語の選択操作を受け付ける（ステップＳ２０１）。そして、ＣＰＵ１００は、辞書種別キー３５の押下操作を監視し、押下された場合には（ステップＳ２０２：ＹＥＳ）、指定辞書種別の見出語文字種別と、前回指定辞書種別の見出語文字種別とが一致するか否かを判別する（ステップＳ２０４）。
【００６６】
ステップＳ２０４において、一致すると判別された場合には、ＣＰＵ１００は、指定辞書ＤＢからステップＳ１０１で選択された選択ヒストリ見出語と一致する見出語を検索し、一致する見出語が検索された場合に（ステップＳ２０６：ＹＥＳ）、対応する説明情報を読み出して表示する（ステップＳ２０８）。
【００６７】
また、ステップＳ２０４において、一致しないと判別された場合には、ＣＰＵ１００は、指定辞書ＤＢから選択ヒストリ見出語の追加見出語と一致する見出語を検索し、一致する見出語が検索された場合に（ステップＳ２１０：ＹＥＳ）、対応する説明情報を読み出して表示する（ステップＳ２１２）。
【００６８】
次に、以上説明した第２の実施の形態における電子辞書の操作例について、図１７に示す画面遷移例を参照して説明する。
【００６９】
図１７（ａ）は、ユーザが百科事典キー３５ｄを押下し、文字入力キー２３を操作して文字列“おーいーしーでぃー”を入力した場合の見出語候補一覧表示画面Ｗ２０の一例を示す図である。同図に示す見出語候補一覧表示画面Ｗ２０には、入力文字Ｉ２０である“おーいーしーでぃー”の見出語候補一覧Ｔ２０が表示されている。この見出語候補一覧表示画面Ｗ２０において、選択マーカＭ２０により見出語候補“オーイーシーディー”を選択して訳／決定キー２５を押下すると、（ｂ）に示すように、百科事典ＤＢ５１２から読み出された見出語“オーイーシーディー”の説明情報を表示した説明情報表示画面Ｗ２２が表示される。
【００７０】
図１７（ｂ）に示す説明情報表示画面Ｗ２２においてヒストリキー３１を押下すると、（ｃ）に示すように、百科事典−ヒストリサーチ画面Ｗ２４に、百科事典のヒストリ一覧Ｔ２２が表示される。このヒストリ一覧Ｔ１１には、（ｂ）の説明情報表示画面Ｗ２２で表示した説明情報の見出語である“オーイーシーディー”がヒストリ見出語として表示されている。また、ヒストリ一覧Ｔ２２において、ヒストリ見出語に続けて追加見出語がそれぞれ表示されている。例えば、ヒストリ一覧Ｔ２２の内、一のヒストリ見出語を反転表示させるヒストリ選択マーカＭ２２により選択されているヒストリ見出語“オーイーシーディー”に続けて、アルファベットで表記した追加見出語“ＯＥＣＤ”が表示されている。
【００７１】
図１７（ｃ）に示す百科事典−ヒストリサーチ画面Ｗ２４において、ヒストリ選択マーカＭ２２によりヒストリ見出語“オーイーシーディー”を選択し、英和辞典キー３５ｂを押下すると、英和辞典ＤＢ５１１から選択ヒストリ見出語“オーイーシーディー”の追加見出語“ＯＥＣＤ”と一致する見出語が検索され、（ｄ）に示すように、見出語“ＯＥＣＤ”の説明情報を表示した説明情報表示画面Ｗ２６が表示される。
【００７２】
以上説明したように、第２の実施の形態によれば、辞書ＤＢに含まれる見出語の説明情報を表示した場合であって、当該辞書ＤＢに追加見出語が記憶されている場合に、該当する見出語をヒストリ見出語とし、当該ヒストリ見出語の追加見出語と対応付けて記憶しておくことができる。また、指定辞書種別と前回指定辞書種別とが異なる場合であって、前回指定辞書ＤＢに追加見出語が記憶されている場合に、指定辞書ＤＢから、選択ヒストリ見出語の追加見出語と一致する見出語及び当該見出語に対応する説明情報を適切に読み出して表示する制御を行うことができる。例えば、百科事典のヒストリ一覧から追加見出語の文字種別が“アルファベット”のヒストリ見出語を選択し、続いて英和辞典を指定することにより、英和辞典ＤＢ５１１から、当該追加見出語と一致する見出語及び当該見出語に対応する説明情報を読み出して表示することができる。
【００７３】
〔第３の実施の形態〕
次に、本発明を適用した電子辞書の第３の実施の形態について説明する。尚、第３の実施の形態における電子辞書は、特に、英和辞典と百科事典の２種類の辞書ＤＢを内蔵している場合の実施形態である。以下、第３の実施の形態では、英和辞典の辞書ＤＢである英和辞典ＤＢ、及び百科事典の辞書ＤＢである百科事典ＤＢを包括して、適宜「辞書ＤＢ」という。また、第３の実施の形態における電子辞書の構成は、第１の実施の形態において図２に示した電子辞書１の構成において、ＲＡＭ４００を図１８（ａ）に示すＲＡＭ４２０に、フラッシュＲＯＭ５００を図１８（ｂ）に示すフラッシュＲＯＭ５２０に、それぞれ置き換えた構成と同様であり、以下、同一の構成要素には同一の符号を付してその説明を省略する。
【００７４】
図１８（ａ）に示すように、ＲＡＭ４２０は、第３の実施の形態を実現するため、特に、指定辞書種別格納領域４２１と、選択ヒストリ見出語格納領域４２３と、変換文字列格納領域４２５とを備える。また、（ｂ）に示すように、フラッシュＲＯＭ５２０には、第３の実施の形態を実現するため、特に、英和辞典ＤＢ５２１と、百科事典ＤＢ５２２と、辞書検索プログラム５２３と、第３ヒストリ検索プログラム５２４と、辞書種別／文字種別対応テーブル５２５と、英和辞典用ヒストリ一覧テーブル５２６と、仮名／アルファベット対応テーブル５２７とが格納される。
【００７５】
ＣＰＵ１００は、フラッシュＲＯＭ５２０に格納された辞書検索プログラム５２３に従って辞書検索処理を実行する。具体的には、ＣＰＵ１０は、第１の実施の形態と同様に、辞書種別キー３５の押下操作に応じて指定辞書種別を決定し、指定辞書種別格納領域４２１を更新する。そして、ＣＰＵ１００は、入力文字の入力操作に応じて見出語候補一覧表示処理を実行し、決定された見出語に対応する説明情報を指定辞書ＤＢから読み出して表示する。
【００７６】
また、図示しないが、英和辞典ＤＢ５２１には、第２の実施の形態において図１２に示した英和辞典ＤＢ５１１と同様に、見出語と説明情報とが対応付けられた辞書データが蓄積される。また、百科事典ＤＢ５２２には、第１の実施の形態において図５に示した国語辞典ＤＢ５０１と同様に、見出語と、追加見出語と、説明情報とが対応付けられた辞書データが蓄積される。
【００７７】
また、この際、ＣＰＵ１００は、表示した説明情報の見出語をヒストリ見出語として、該当する辞書ＤＢ用のヒストリ一覧テーブルに格納する。特に、第３の実施の形態において、英和辞典ＤＢ５２１の説明情報が表示された場合に、英和辞典用ヒストリ一覧テーブル５２６にヒストリ見出語が蓄積記憶されるようになっている。
【００７８】
また、ＣＰＵ１００は、第３ヒストリ検索プログラム５２４に従って第３ヒストリ検索処理を実行する。具体的には、ＣＰＵ１００は、ヒストリキー３１の押下操作に従って、当該時点での指定辞書種別に対応するヒストリ一覧テーブルを参照して、ヒストリ一覧を表示する。一覧表示したヒストリ見出語が選択された、辞書種別キー３５が押下されると、ＣＰＵ１００は、指定辞書種別格納領域４２１に格納される辞書種別を前回辞書種別として前回指定辞書種別格納領域４２１に格納するとともに、指定された辞書種別キー３５に対応する辞書種別で指定辞書種別格納領域４２１を更新する。
【００７９】
次いで、ＣＰＵ１００は、辞書種別／文字種別対応テーブル５２５を参照して、指定辞書種別の見出語文字種別と、前回指定辞書種別の見出語文字種別とが一致するか否かを判別する判別処理を実行する。辞書種別／文字種別対応テーブル５２５（図示略）には、第２の実施の形態において図１４に示した辞書種別／文字種別対応テーブル５１６と同様に、辞書種別と、見出語文字種別とが対応付けて格納される。
【００８０】
また、この際、ＣＰＵ１００は、選択ヒストリ見出語を選択ヒストリ見出語格納領域４２３に格納する。図１９に、第３の実施の形態における選択ヒストリ見出語格納領域４２３の一例を示す。同図に示す選択ヒストリ見出語格納領域４２３には、選択ヒストリ見出語“ＤＮＡ”が格納されている。
【００８１】
ＣＰＵ１００は、上記した判別処理において一致しないと判断した場合に、仮名／アルファベット対応テーブル５２７を参照して、選択ヒストリ見出語を指定辞書種別の見出語文字種別に変換する。図２０に、仮名／アルファベット対応テーブル５２７の一例を示す。仮名／アルファベット対応テーブル５２７には、“Ａ”〜“Ｚ”の各アルファベットと、対応する仮名とが対応付けて格納されている。
【００８２】
また、この際、変換後の文字列を変換文字列格納領域４２５に格納する。図２１に、変換文字列格納領域４２５の一例を示す。同図に示すように、変換文字列格納領域４２５には、変換文字列“でぃーえぬえー”が格納されている。ＣＰＵ１００は、指定辞書ＤＢから、変換文字列格納領域４２５に格納される変換文字列と一致する見出語を検索し、対応する説明情報を読み出して表示する。
【００８３】
次に、第３の実施の形態における電子辞書の動作について図２２に示すフローチャートを参照して説明する。尚、辞書検索プログラム５１３の実行に係る処理は、第１の実施の形態において図８に示して説明した電子辞書１の動作フローと同一であるため、説明を省略する。
【００８４】
ＣＰＵ１００は、図８に示す辞書検索処理において、ヒストリキー３１の押下操作を検知すると（ステップＳ２０）、第１ヒストリ検索処理に替えて第３ヒストリ検索処理を実行する。図２２は、第３ヒストリ検索プログラム５２４を実行することにより実現される第３ヒストリ検索処理に係る、第３の実施の形態における電子辞書の動作フローである。ＣＰＵ１００は、先ず、指定辞書種別用のヒストリ一覧テーブルを参照してヒストリ一覧を表示し（ステップＳ３００）、ヒストリ一覧に表示されるヒストリ見出語の選択操作を受け付ける（ステップＳ３０１）。次いで、ＣＰＵ１００は、辞書種別キー３５の押下操作を監視し、押下された場合には（ステップＳ３０２：ＹＥＳ）、指定辞書種別の見出語文字種別と、前回指定辞書種別の見出語文字種別とが一致するか否かを判別する（ステップＳ０４）。
【００８５】
ステップＳ３０４において、一致すると判別された場合には、ＣＰＵ１００は、指定辞書ＤＢから、ステップＳ３０１で選択された選択ヒストリ見出語と一致する見出語を検索し、一致する見出語が検索された場合に（ステップＳ３０６：ＹＥＳ）、対応する説明情報を読み出して表示する（ステップＳ３０８）。
【００８６】
また、ステップＳ３０４において、一致しないと判別された場合には、ＣＰＵ１００は、選択ヒストリ見出語を指定辞書種別の見出語文字種別に変換する（ステップＳ３１０）。次いで、ＣＰＵ１００は、指定辞書ＤＢから変換文字列と一致する見出語を検索し、一致する見出語が検索された場合に（ステップＳ３１２：ＹＥＳ）、対応する説明情報を読み出して表示する（ステップＳ３１４）。
【００８７】
次に、以上説明した第３の実施の形態における電子辞書の操作例について、図２３に示す画面遷移例を参照して説明する。
【００８８】
図２３（ａ）は、ユーザが英和辞典キー３５ｂを押下し、文字入力キー２３を操作して文字列“ｄｎａ”を入力した場合の見出語候補一覧表示画面Ｗ３０の一例を示す図である。同図に示す見出語候補一覧表示画面Ｗ３０には、入力文字Ｉ３０である“ｄｎａ”の見出語候補一覧Ｔ３０が表示されている。この見出語候補一覧表示画面Ｗ３０において、選択マーカＭ３０により見出語候補“ＤＮＡ”を選択して訳／決定キー２５を押下すると、（ｂ）に示すように、英和辞典ＤＢ５２１から読み出された見出語“ＤＮＡ”の説明情報を表示した説明情報表示画面Ｗ３２が表示される。
【００８９】
図２３（ｂ）に示す説明情報表示画面Ｗ３２においてヒストリキー３１を押下すると、（ｃ）に示すように、英和辞典−ヒストリサーチ画面Ｗ３４に、英和辞典のヒストリ一覧Ｔ３２が表示される。このヒストリ一覧Ｔ３２には、（ｂ）の説明情報表示画面Ｗ３２で表示した説明情報の見出語である“ＤＮＡ”がヒストリ見出語として表示されている。
【００９０】
図２３（ｃ）に示す英和辞典−ヒストリサーチ画面Ｗ３４において、ヒストリ一覧Ｔ３２の内、一のヒストリ見出語を反転表示させるヒストリ選択マーカＭ３２によりヒストリ見出語“ＤＮＡ”を選択し、百科辞典キー３５ｄを押下すると、（ｄ）に示すように、見出語候補一覧表示画面Ｗ３６が表示され、入力文字Ｉ３２である“ディーエヌエー”に基づいて百科事典ＤＢ５２２から検索された見出語候補一覧Ｔ３４が表示される。具体的には、以下の内部処理が実行される。すなわち、文字種別“アルファベット”で表記された選択ヒストリ見出語“ＤＮＡ”が、百科事典ＤＢ５２２の見出語文字種別“仮名”に変換されて変換文字列“ディーエヌエー”が作成される（例えば、図２２に示すステップＳ３１０）。続いて、この変換文字列“ディーエヌエー”が入力文字に設定されて百科事典ＤＢ５２２から見出語候補が検索され、検索された見出語候補が一覧表示される（例えば、図２２に示すステップＳ３１２，Ｓ３１４）。
【００９１】
図２３（ｄ）に示す見出語候補一覧表示画面Ｗ３６において、選択マーカＭ３４により見出語候補“ディーエヌエー”を選択して訳／決定キー２５を押下すると、（ｅ）に示すように、百科事典ＤＢ５２２から読み出された見出語“ディーエヌエー”の説明情報を表示した説明情報表示画面Ｗ３８が表示される。
【００９２】
以上説明したように、第３の実施の形態によれば、指定辞書種別の見出語文字種別と前回指定辞書種別の見出語文字種別とが異なる場合に、選択ヒストリ見出語の文字種別を、指定辞書種別の見出語文字種別に変換した後、指定辞書ＤＢから、変換文字列と一致する見出語及び当該見出語に対応する説明情報を適切に読み出して表示する制御を行うことができる。例えば、英和辞典のヒストリ一覧からヒストリ見出語を選択し、続いて百科事典を指定した場合には、“アルファベット”で表記される選択ヒストリ見出語を、百科事典の見出語文字種別“仮名”に変換することができる。そして、百科事典ＤＢ５２２から、変換文字列と一致する見出語及び当該見出語に対応する説明情報を読み出して表示することができる。
【００９３】
〔第４の実施の形態〕
次に、本発明を適用した電子辞書の第４の実施の形態について説明する。尚、第４の実施の形態における電子辞書は、特に、国語辞典と英和辞典の２種類の辞書ＤＢを内蔵している場合の実施形態である。以下、第４の実施の形態では、国語辞典の辞書ＤＢである国語辞典ＤＢ、及び英和辞典の辞書ＤＢである英和辞典ＤＢを包括して、適宜「辞書ＤＢ」という。また、第４の実施の形態における電子辞書の構成は、第１の実施の形態において図２に示した電子辞書１の構成において、ＲＡＭ４００を図２４（ａ）に示すＲＡＭ４３０に、フラッシュＲＯＭ５００を図２４（ｂ）に示すフラッシュＲＯＭ５３０に、それぞれ置き換えた構成と同様であり、以下、同一の構成要素には同一の符号を付してその説明を省略する。
【００９４】
図２４に示すように、ＲＡＭ４３０は、第４の実施の形態を実現するため、特に、指定辞書種別格納領域４３１と、前回指定辞書種別格納領域４３３と、選択ヒストリ見出語格納領域４３５とを備える。また、（ｂ）に示すように、フラッシュＲＯＭ５３０には、第４の実施の形態を実現するため、特に、国語辞典ＤＢ５３１と、英和辞典ＤＢ５３２と、辞書検索プログラム５３３と、第４ヒストリ検索プログラム５３４と、辞書種別／文字種別対応テーブル５３５と、英和辞典用ヒストリ一覧テーブル５３６とが格納される。
【００９５】
ＣＰＵ１００は、フラッシュＲＯＭ５３０に格納された辞書検索プログラム５３３に従って辞書検索処理を実行する。具体的には、ＣＰＵ１０は、第１の実施の形態と同様に、辞書種別キー３５の押下操作に応じて指定辞書種別を決定し、指定辞書種別格納領域４３１を更新する。そして、ＣＰＵ１００は、入力文字の入力操作に応じて見出語候補一覧表示処理を実行し、決定された見出語に対応する説明情報を指定辞書ＤＢから読み出して表示する。
【００９６】
尚、図示しないが、国語辞典ＤＢ５３１には、第１の実施の形態において図５に示した国語辞典ＤＢ５０１と同様に、見出語と、追加見出語と、説明情報とが対応付けられた辞書データが蓄積される。また、英和辞典ＤＢ５３２には、第２の実施の形態において図１２に示した英和辞典ＤＢ５１１と同様に、見出語と説明情報とが対応付けられた辞書データが蓄積される。
【００９７】
また、この際、ＣＰＵ１００は、表示した説明情報の見出語をヒストリ見出語として、該当する辞書ＤＢ用のヒストリ一覧テーブルに格納する。特に、第４の実施の形態において、英和辞典ＤＢ５３２の説明情報が表示された場合に、英和辞典用ヒストリ一覧テーブル５３６にヒストリ見出語が蓄積記憶されるようになっている。
【００９８】
また、ＣＰＵ１００は、第４ヒストリ検索プログラム５３４に従って第４ヒストリ検索処理を実行する。具体的には、ＣＰＵ１００は、ヒストリキー３１の押下操作に応じて、当該時点での指定辞書種別に対応するヒストリ一覧テーブルを参照して、ヒストリ一覧を表示する。一覧表示したヒストリ見出語が選択されて、辞書種別キー３５が押下されると、ＣＰＵ１００は、指定辞書種別格納領域４３１に格納される辞書種別を前回辞書種別として前回指定辞書種別格納領域４３３に格納するとともに、指定された辞書種別キー３５に対応する辞書種別で指定辞書種別格納領域４３１を更新する。
【００９９】
次いで、ＣＰＵ１００は、辞書種別／文字種別対応テーブル５３５を参照して、指定辞書種別の見出語文字種別と、前回指定辞書種別の見出語文字種別とが一致するか否かを判別する判別処理を実行する。
【０１００】
図２５に、第４の実施の形態における辞書種別／文字種別対応テーブル５３５の一例を示す。同図に示すように、辞書種別／文字種別対応テーブル５３５には、辞書種別と、見出語文字種別とが対応付けて格納される。すなわち、辞書種別“国語辞典ＤＢ”に対応付けて国語辞典ＤＢ５３１に記憶される見出語の文字種別である“仮名”が、辞書種別“英和辞典ＤＢ”に対応付けて英和辞典ＤＢ５３２に記憶される見出語の文字種別である“アルファベット”が、それぞれ格納されている。
【０１０１】
例えば、ヒストリキー３１が押下された場合であって、指定辞書種別格納領域４３１に格納される指定辞書種別が“英和辞典ＤＢ”の場合に、ＣＰＵ１００は、英和辞典用ヒストリ一覧テーブル５３６に格納されるヒストリ見出語を読み出して一覧表示する。そして、続けて国語辞典キー３５ａが押下された場合には、ＣＰＵ１００は、辞書種別／文字種別対応テーブル５３５を参照して、当該時点での指定辞書種別“英和辞典ＤＢ”の見出語文字種別（“アルファベット”）と、押下された国語辞典キー３５ａの辞書種別“国語辞典ＤＢ”の見出語文字種別（“仮名”）とが異なると判別する。
【０１０２】
また、この際、ＣＰＵ１００は、選択ヒストリ見出語を選択ヒストリ見出語格納領域４３５に格納する。図２６に、第４の実施の形態における選択ヒストリ見出語格納領域４３５の一例を示す。同図に示す選択ヒストリ見出語格納領域４３５には、選択ヒストリ見出語“ＲＡＭ”が格納されている。ＣＰＵ１００は、上記した判別処理において一致しないと判断した場合であって、指定辞書ＤＢに記憶される辞書データが追加見出語を有している場合に、指定辞書ＤＢに格納される追加見出語から、選択ヒストリ見出語格納領域４３５に格納される選択ヒストリ見出語と一致する追加見出語を検索し、対応する説明情報を読み出して表示する。
【０１０３】
次に、第４の実施の形態における電子辞書の動作について図２７に示すフローチャートを参照して説明する。尚、辞書検索プログラム５３３の実行に係る処理は、第１の実施の形態において図８に示して説明した電子辞書１の動作フローと同一であるため、説明を省略する。
【０１０４】
ＣＰＵ１００は、図８に示す辞書検索処理において、ヒストリキー３１の押下操作を検知すると（ステップＳ２０）、第１ヒストリ検索処理に替えて第４ヒストリ検索処理を実行する。図２７は、第４ヒストリ検索プログラム５３４を実行することにより実現される第４ヒストリ検索処理に係る、第４の実施の形態における電子辞書の動作フローである。ＣＰＵ１００は、先ず、指定辞書種別用のヒストリ一覧テーブルを参照してヒストリ一覧を表示し（ステップＳ４００）、ヒストリ一覧に表示されるヒストリ見出語の選択操作を受け付ける（ステップＳ４０１）。次いで、ＣＰＵ１００は、辞書種別キー３５の押下操作を監視し、押下された場合には（ステップＳ４０２：ＹＥＳ）、指定辞書種別の見出語文字種別と、前回指定辞書種別の見出語文字種別とが一致するか否かを判別する（ステップＳ４０４）。
【０１０５】
ステップＳ４０４において、一致すると判別された場合には、ＣＰＵ１００は、指定辞書ＤＢから、ステップＳ４０１で選択された選択ヒストリ見出語と一致する見出語を検索し、一致する見出語が検索された場合に（ステップＳ４０６：ＹＥＳ）、対応する説明情報を読み出して表示する（ステップＳ４０８）。
【０１０６】
また、ステップＳ４０４において、一致しないと判別された場合であって、指定辞書ＤＢに記憶される辞書データが追加見出語を有している場合に、ＣＰＵ１００は、指定辞書ＤＢに記憶される追加見出語から選択ヒストリ見出語と一致する追加見出語を検索し、一致する見出語が検索された場合に（ステップＳ４１０：ＹＥＳ）、対応する説明情報を読み出して表示する（ステップＳ４１２）。
【０１０７】
次に、以上説明した第４の実施の形態における電子辞書の操作例について、図２８に示す画面遷移例を参照して説明する。
【０１０８】
図２８（ａ）は、ユーザが英和辞典キー３５ｃを押下し、文字入力キー２３を操作して文字列“ｒａｍ”を入力した場合の見出語候補一覧表示画面Ｗ４０の一例を示す図である。同図に示す見出語候補一覧表示画面Ｗ４０には、入力文字Ｉ４０である“ｒａｍ”の見出語候補一覧Ｔ４０が表示されている。この見出語候補一覧表示画面Ｗ４０において、選択マーカＭ４０により見出語候補“ＲＡＭ”を選択して訳／決定キー２５を押下すると、（ｂ）に示すように、英和辞典ＤＢ５３２から読み出された見出語“ＲＡＭ”の説明情報を表示した説明情報表示画面Ｗ４２が表示される。
【０１０９】
図２８（ｂ）に示す説明情報表示画面Ｗ４２においてヒストリキー３１を押下すると、（ｃ）に示すように、英和辞典−ヒストリサーチ画面Ｗ４４に、英和辞典のヒストリ一覧Ｔ４２が表示される。このヒストリ一覧Ｔ４２には、（ｂ）の説明情報表示画面Ｗ４２で表示した説明情報の見出語である“ＲＡＭ”がヒストリ見出語として表示されている。
【０１１０】
図２８（ｃ）に示す英和辞典−ヒストリサーチ画面Ｗ４４において、ヒストリ一覧Ｔ４２の内、一のヒストリ見出語を反転表示させるヒストリ選択マーカＭ４２によりヒストリ見出語“ＲＡＭ”を選択し、国語辞典キー３５ａを押下すると、国語辞典ＤＢ５３１に記憶される追加見出語から選択ヒストリ見出語“ＲＡＭ”と一致する追加見出語語が検索され、（ｄ）に示すように、追加見出語“ＲＡＭ”に対応する見出語“ラム”の説明情報を表示した説明情報表示画面Ｗ４４が表示される。
【０１１１】
以上説明したように、第４の実施の形態によれば、指定辞書種別の見出語文字種別と前回指定辞書種別の見出語文字種別とが異なる場合であって、指定辞書ＤＢに追加見出語が記憶されている場合に、指定辞書ＤＢから、選択ヒストリ見出語と一致する追加見出語を検索し、該当する説明情報を適切に読み出して表示する制御を行うことができる。例えば、英和辞典のヒストリ一覧から一のヒストリ見出語を選択し、続いて国語事典を指定することにより、国語事典ＤＢ５３１から、選択ヒストリ見出語と一致する追加見出語を検索し、該当する説明情報を読み出して表示することができる。
【０１１２】
尚、上述した実施の形態では、本発明の情報表示制御装置を、電子辞書、電子事典等を含む電子辞書に適用した場合について説明したが、このような製品に限定されるものではなく、携帯電話、パソコン、電子時計、ＰＤＡ（Ｐｅｒｓｏｎａｌ  Ｄｉｇｉｔａｌ  Ａｓｓｉｓｔａｎｔｓ）等の電子機器全般に適用可能である。
【０１１３】
また、上記した実施の形態では、電子辞書を、単体で動作するいわゆるスタンドアローン型の装置として説明したが、本発明が適用可能な装置はこれに限られるものではなく、以下のようにしてもよい。すなわち、通信装置を内蔵或いは接続可能に構成し、サーバと通信することによって本発明に係る装置を実現することも可能である。
【０１１４】
図２９は、通信装置を内蔵した電子辞書端末６００と、サーバ７００とが通信回線を介して通信可能に接続されたシステム構成の概略構成例を示す図である。サーバ７００は、例えば、汎用のワークステーションやサーバ用コンピュータ等によって構成されるものであり、電子辞書端末６００は、携帯電話機や、通信装置を内蔵したパソコン、通信装置を内蔵した電子辞書等により構成されるものである。通信回線は、有線／無線の電話網やインターネット網等である。
【０１１５】
図２９において、上記した実施の形態の電子辞書の主要機能を有する機能ブロックを太線で示した。例えば、第１の実施の形態における電子辞書１のＣＰＵ１００が実行する辞書検索処理や第１ヒストリ検索処理等は、サーバ７００のＣＰＵ７０２が実行する。また、フラッシュＲＯＭ５００が記憶する各種データや各種プログラム等は、サーバ７００が備えるハードディスク等から構成される記憶装置７１２が記憶する。また、辞書検索処理や第１ヒストリ検索処理等の実行に伴うデータはサーバ７００のＲＡＭ７１０が記憶する。
【０１１６】
一方、電子辞書１の入力装置２００及び表示装置３００は、それぞれ、電子辞書端末６００の入力装置６０４及び表示装置６０６に相当する。
【０１１７】
すなわち、サーバ７００がホスト（或いはサーバ）、電子辞書端末６００が端末（或いはクライアント）に相当するホスト・端末のシステム（或いはクライアント／サーバ型のシステム）を形成する。そして、電子辞書端末６００の入力装置６０４から入力された入力文字等が通信装置６１０を介してサーバ７００に送信され、サーバ７００のＣＰＵ７０２が記憶装置７１２に記憶された各種データ及び各種プログラムに従って辞書検索処理や第１ヒストリ検索処理等を実行し、処理結果を通信装置７１４を通じて電子辞書端末６００に送信して表示装置６０６に表示させる。このように、サーバ７００及び電子辞書端末６００から構成されるシステムで、本発明を実現することも可能である。この場合、電子辞書端末６００においては、各種辞書ＤＢや第１ヒストリ検索プログラム５０７、ヒストリ一覧テーブル５０９等を記憶しておく必要がなく、また辞書検索処理や第１ヒストリ検索処理等を実行する必要もない。このため、演算処理能力が比較的低いＣＰＵ６０２や、記憶容量等が比較的小さいＲＯＭ６０６等を具備する電子辞書端末６００（例えば携帯電話）であってもよい。
【０１１８】
【発明の効果】
請求項１又は６に記載の発明によれば、複数の集合情報のうち、一の集合情報に含まれる見出語が指定された際、当該指定された見出語をヒストリ見出語として記憶しておき、ヒストリ見出語が指定されるとともに、他の集合情報が指定された場合に、当該他の集合情報から、指定されたヒストリ見出語に適合する見出語及び当該見出語に対応する説明情報を読み出して表示する制御を行うことができる。従って、過去に一の集合情報から指定された見出語の履歴であるヒストリ見出語に基づいて、適合する見出語及び当該見出語に対応する説明情報を他の集合情報から適切に読み出して表示する制御を行うことができる。
【０１１９】
請求項２に記載の発明によれば、一の集合情報に含まれる見出語が指定された際に、当該見出語を、集合情報別にヒストリ見出語として記憶しておき、ヒストリ見出語が指定されるとともに、他の集合情報が指定された場合に、当該他の集合情報から、指定されたヒストリ見出語に適合する見出語及び当該見出語に対応する説明情報を読み出して表示する制御を行うことができる。従って、一の集合情報から過去に指定された見出語の履歴であるヒストリ見出語に基づいて、適合する見出語及び当該見出語に対応する説明情報を他の集合情報から適切に読み出して表示する制御を行うことができる。
【０１２０】
請求項３に記載の発明によれば、ヒストリ見出語が指定されるとともに、他の集合情報が指定された際に、指定されたヒストリ見出語の文字種別と、指定された他の集合情報に含まれる見出語の文字種別とが異なる場合には、当該ヒストリ見出語の文字種別を、指定された他の集合情報に含まれる見出語の文字種別に変換することができる。そして、他の集合情報から、指定されたヒストリ見出語に適合する見出語及び当該見出語に対応する説明情報を読み出して表示する制御を行うことができる。従って、一の集合情報のヒストリ見出語に基づいて、適合する見出語及び当該見出語に対応する説明情報を他の集合情報から適切に読み出して表示する制御を行うことができる。
【０１２１】
請求項４に記載の発明によれば、ヒストリ見出語が指定されるとともに、他の集合情報が指定された際、指定された他の集合情報に含まれる見出語に追加語が対応付けられている場合には、当該他の集合情報から、ヒストリ見出語に適合する追加語及び当該追加語の見出語に対応する説明情報を読み出して表示する制御を行うことができる。従って、一の集合情報のヒストリ見出語に基づいて、適合する見出語及び当該見出語に対応する説明情報を他の集合情報から適切に読み出して表示する制御を行うことができる。
【０１２２】
請求項５又は７に記載の発明によれば、サーバにおいて、複数の集合情報のうちの一の集合情報に含まれる見出語を指定する見出語指定情報を利用者端末から受信した際に、当該見出語指定情報により指定された見出語をヒストリ見出語として記憶しておき、適宜利用者端末に送信することができる。そして、サーバにおいて、一のヒストリ見出語が指定されたヒストリ見出語指定情報を受信するとともに、他の集合情報を指定する集合情報指定情報を受信した際に、当該集合情報指定情報により指定された他の集合情報から、ヒストリ見出語指定情報により指定されたヒストリ見出語に適合する見出語及び当該見出語に対応する説明情報を読み出して利用者端末に送信することができる。
【図面の簡単な説明】
【図１】（ａ）は電子辞書の斜視概観図の一例、（ｂ）は電子辞書のキー配列の一例を示す図。
【図２】第１の実施の形態における電子辞書の機能構成の一例を示すブロック図。
【図３】指定辞書種別格納領域の一例を示す図。
【図４】見出語候補一覧表示処理を説明するための画面遷移例を示す図。
【図５】国語辞典ＤＢの蓄積形式の一例を示す図。
【図６】国語辞典用ヒストリ一覧テーブルの一例を示す図。
【図７】第１の実施の形態における選択ヒストリ見出語格納領域の一例を示す図。
【図８】辞書検索処理の実行に係る電子辞書の動作の一例を示すフローチャート。
【図９】第１ヒストリ検索処理の実行に係る電子辞書の動作の一例を示すフローチャート。
【図１０】第１の実施の形態における電子辞書の操作例を説明するための画面遷移例を示す図。
【図１１】第２の実施の形態におけるＲＡＭの構成（ａ）、及びフラッシュＲＯＭの構成（ｂ）の一例を示す図。
【図１２】英和辞典ＤＢの蓄積形式の一例を示す図。
【図１３】百科事典用ヒストリ一覧テーブルの一例を示す図。
【図１４】第２の実施の形態における辞書種別／文字種別対応テーブルの一例を示す図。
【図１５】第２の実施の形態における選択ヒストリ見出語格納領域の一例を示す図。
【図１６】第２ヒストリ検索処理の実行に係る電子辞書の動作の一例を示すフローチャート。
【図１７】第２の実施の形態における電子辞書の操作例を説明するための画面遷移例を示す図。
【図１８】第３の実施の形態におけるＲＡＭの構成（ａ）、及びフラッシュＲＯＭの構成（ｂ）の一例を示す図。
【図１９】第３の実施の形態における選択ヒストリ見出語格納領域の一例を示す図。
【図２０】仮名／アルファベット対応テーブルの一例を示す図。
【図２１】変換文字列格納領域の一例を示す図。
【図２２】第３ヒストリ検索処理の実行に係る電子辞書の動作の一例を示すフローチャート。
【図２３】第３の実施の形態における電子辞書の操作例を説明するための画面遷移例を示す図。
【図２４】第４の実施の形態におけるＲＡＭの構成（ａ）、及びフラッシュＲＯＭの構成（ｂ）の一例を示す図。
【図２５】第４の実施の形態における辞書種別／文字種別対応テーブルの一例を示す図。
【図２６】第４の実施の形態における選択ヒストリ見出語格納領域の一例を示す図。
【図２７】第４ヒストリ検索処理の実行に係る電子辞書の動作の一例を示すフローチャート。
【図２８】第４の実施の形態における電子辞書の操作例を説明するための画面遷移例を示す図。
【図２９】電子辞書端末とサーバとで構成されるシステムの概略構成例を示す図。
【符号の説明】
１              電子辞書
１００        ＣＰＵ
２００        入力装置
３００        表示装置
４００        ＲＡＭ
４０１      指定辞書種別格納領域
４０３      選択ヒストリ見出語格納領域
５００        フラッシュＲＯＭ
５０１      国語辞典ＤＢ
５０３      百科事典ＤＢ
５０５      辞書検索プログラム
５０７      第１ヒストリ検索プログラム
５０９      ヒストリ一覧テーブル
５０９ａ  国語辞典用ヒストリ一覧テーブル
５０９ｂ  百科事典用ヒストリ一覧テーブル
【図１】
2004295306.tif 000003
【図２】
2004295306.tif 000004
【図３】
2004295306.tif 000005
【図４】
2004295306.tif 000006
【図５】
2004295306.tif 000007
【図６】
2004295306.tif 000008
【図７】
2004295306.tif 000009
【図８】
2004295306.tif 000010
【図９】
2004295306.tif 000011
【図１０】
2004295306.tif 000012
【図１１】
2004295306.tif 000013
【図１２】
2004295306.tif 000014
【図１３】
2004295306.tif 000015
【図１４】
2004295306.tif 000016
【図１５】
2004295306.tif 000017
【図１６】
2004295306.tif 000018
【図１７】
2004295306.tif 000019
【図１８】
2004295306.tif 000020
【図１９】
2004295306.tif 000021
【図２０】
2004295306.tif 000022
【図２１】
2004295306.tif 000023
【図２２】
2004295306.tif 000024
【図２３】
2004295306.tif 000025
【図２４】
2004295306.tif 000026
【図２５】
2004295306.tif 000027
【図２６】
2004295306.tif 000028
【図２７】
2004295306.tif 000029
【図２８】
2004295306.tif 000030
【図２９】
2004295306.tif 000031